Podtech/llm-jp-corpus-v4-ja_patent huggingface dataset:
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
少なくとも第１電力状態、及び、前記第１電力状態より省電力の第２電力状態、になる情報処理装置であって、
リセット信号を、リセット信号を受け取ると通常状態からリセット状態へと移行し、かつ、一切の信号を所定時間受け取らないと通常状態から省電力状態へ移行する保存デバイスに送信する送信手段と、
前記リセット信号を受け取って前記リセット状態へと移行した前記保存デバイスの電源を切る手段とを有し、
前記第１電力状態から前記第２電力状態へと前記情報処理装置が移行する際に、前記保存デバイスに前記リセット信号を送信しないことによって、前記保存デバイスを前記所定時間の経過後に前記通常状態から前記省電力状態へと移行させることを特徴とする情報処理装置。
【請求項２】
少なくとも第１電力状態、及び、前記第１電力状態より省電力の第２電力状態、になる情報処理装置であって、
動作停止信号を出力する出力手段と、
前記出力手段から出力された動作停止信号を受信可能であり、前記動作停止信号に従って動作停止状態となり、且つ、少なくとも前記動作停止信号が入力されていないことを条件に前記動作停止状態より省電力の省電力モードに移行するデバイスと、
前記情報処理装置が前記第２電力状態に移行するときに、前記デバイスに動作停止信号が入力されないようにする信号制御手段と、
所定の条件に従って前記情報処理装置を再起動する再起動手段と、を備え、
前記再起動手段が前記情報処理装置を再起動するときに、前記信号制御手段は、前記デバイスに動作停止信号が入力されるようにする、ことを特徴とする情報処理装置。
【請求項３】
前記情報処理装置の電力状態を示す情報を記憶する記憶手段をさらに備え、
前記信号制御手段は、前記情報が前記第２電力状態を示すときに、前記デバイスに動作停止信号が入力されないようにする、ことを特徴とする請求項２に記載の情報処理装置。
【請求項４】
前記情報処理装置の電力状態を示す情報を記憶する記憶手段と、
前記記憶手段に記憶された前記情報に基づいて、前記情報処理装置の電力状態を変更する電力制御手段と、をさらに備えることを特徴とする請求項２に記載の情報処理装置。
【請求項５】
前記デバイスにアクセス可能な演算手段をさらに備え、
前記デバイスは、少なくとも前記動作停止信号が入力されていないこと及び前記演算手段からのアクセスが無く所定時間が経過したことを条件に前記省電力モードに移行する、ことを特徴とする請求項２乃至４の何れか１項に記載の情報処理装置。
【請求項６】
前記演算手段が、前記情報処理装置の電力状態を示す情報を出力し、
前記信号制御手段は、前記演算手段から出力された前記情報処理装置の電力状態を示す情報に基づいて、前記デバイスに動作停止信号が入力されないようにする、ことを特徴とする請求項５に記載の情報処理装置。
【請求項７】
前記情報処理装置は、さらに、前記第２電力状態より省電力の第３電力状態になり、
前記信号制御手段は、前記情報が前記第３電力状態を示す場合に、前記デバイスに動作停止信号が入力されるようにする、ことを特徴とする請求項２乃至６の何れか１項に記載の情報処理装置。
【請求項８】
前記第３電力状態では、前記デバイスへの電力供給が停止される、ことを特徴とする請求項７に記載の情報処理装置。
【請求項９】
前記デバイスは、ｅＭＭＣである、ことを特徴とする請求項２乃至８の何れか１項に記載の情報処理装置。
【請求項１０】
前記動作停止信号は、リセット信号である、ことを特徴とする請求項２乃至９の何れか１項に記載の情報処理装置。
【請求項１１】
記録媒体に画像を印刷する印刷手段をさらに備える、ことを特徴とする請求項１乃至１０の何れか１項に記載の情報処理装置。
【請求項１２】
原稿の画像を読み取り、画像データを出力する読取手段をさらに備える、ことを特徴とする請求項１乃至１１の何れか１項に記載の情報処理装置。
【請求項１３】
少なくとも第１電力状態及び前記第１電力状態より省電力の第２電力状態になり、動作停止信号を受信可能であり、前記動作停止信号に従って動作停止状態となり且つ少なくとも前記動作停止信号が入力されていないことを条件に前記動作停止状態より省電力の省電力モードに移行するデバイスを有する情報処理装置の制御方法であって、
動作停止信号を出力するステップと、
前記情報処理装置の電力状態を示す情報に基づいて、前記デバイスに動作停止信号が入力されないようにするステップと、
所定の条件に従って前記情報処理装置を再起動するステップと、
前記情報処理装置を再起動するときに、前記デバイスに動作停止信号が入力されるようにするステップと、を有すること特徴とする情報処理装置の制御方法。
【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
表示面に画像を表示する表示部と、
前記表示面上の指示体の位置を検出する検出部と、
前記検出部の検出位置に基づく画像を前記表示部に表示させる制御部と、を有し、
前記制御部は、
第１属性の設定が互いに異なり、前記第１属性と異なる第２属性の設定が互いに同じである複数のサンプル画像を含み、第１方向にスクロール可能な第１画像群と、前記第１属性の設定が互いに同じであり、前記第２属性の設定が互いに異なる複数のサンプル画像を含み、前記第１方向と異なる第２方向にスクロール可能な第２画像群と、を前記表示部に表示させ、
前記第１画像群または前記第２画像群に含まれるサンプル画像の選択に応じて、前記検出部の検出位置に基づく画像に用いる前記第１属性および前記第２属性の設定を決定する、
表示装置。
【請求項２】
前記第１画像群および前記第２画像群は、互いに重なる領域に共通のサンプル画像を含む、
請求項１に記載の表示装置。
【請求項３】
前記第１方向は、第１直線に沿う方向であり、
前記第２方向は、前記第１直線に交差する第２直線に沿う方向である、
請求項１または２に記載の表示装置。
【請求項４】
前記制御部は、
前記第１属性および前記第２属性と異なる第３属性の設定が互いに異なり、前記第１属性および前記第２属性のそれぞれの設定が互いに同じである複数のサンプル画像を含み、前記第１方向および前記第２方向と異なる第３方向にスクロール可能な第３画像群を前記表示部に表示させ、
前記第１画像群、前記第２画像群または前記第３画像群に含まれるサンプル画像の選択に応じて、前記検出部の検出位置に基づく画像に用いる前記第１属性、前記第２属性および前記第３属性の設定を決定する、
請求項１ないし３のいずれか１項に記載の表示装置。
【請求項５】
前記制御部は、前記第１画像群と前記第２画像群とが重なる領域の位置を変更可能である、
請求項１ないし４のいずれか１項に記載の表示装置。
【請求項６】
前記第１方向は、第１円周に沿う方向であり、
前記第２方向は、前記第１円周に交差する第２円周に沿う方向である、
請求項１または２に記載の表示装置。
【請求項７】
前記制御部は、前記第１画像群のスクロールに応じて前記第２画像群の前記第１属性の設定を変更するか、または、前記第２画像群のスクロールに応じて前記第１画像群の前記第２属性の設定を変更する、
請求項１ないし６のいずれか１項に記載の表示装置。
【請求項８】
前記制御部は、外部装置からの画像情報に基づく画像に重ねて前記第１画像群および前記第２画像群を前記表示部に表示させる、
請求項１ないし７のいずれか１項に記載の表示装置。
【請求項９】
前記検出部の検出位置に基づく画像の属性履歴に関する情報を記憶する記憶部を有し、
前記制御部は、前記情報に基づいて、前記第１画像群または前記第２画像群に用いる前記第１属性または前記第２属性の設定を決定する、
請求項１ないし８のいずれか１項に記載の表示装置。
【請求項１０】
第１属性が互いに異なり、前記第１属性と異なる第２属性が互いに同じである複数のサンプル画像を含み、第１方向にスクロール可能な第１画像群と、前記第１属性が互いに同じであり、前記第２属性が互いに異なる複数のサンプル画像を含み、前記第１方向と異なる第２方向にスクロール可能な第２画像群と、を表示面に表示することと、
前記第１画像群または前記第２画像群に含まれる１のサンプル画像を選択させることと、
前記１のサンプル画像の選択に応じて、前記第１属性および前記第２属性を決定することと、
前記表示面上の指示体の位置を検出することと、
前記検出された位置に基づき、前記決定された前記第１属性および前記第２属性を有する画像を前記表示面に表示することと、
を含む、表示方法。
【手続補正２】
【補正対象書類名】明細書
【補正対象項目名】発明の名称
【補正方法】変更
【補正の内容】
【発明の名称】表示装置および表示方法
【手続補正３】
【補正対象書類名】明細書
【補正対象項目名】０００１
【補正方法】変更
【補正の内容】
【０００１】
本発明は、表示装置および表示方法に関する。
【手続補正４】
【補正対象書類名】明細書
【補正対象項目名】００５６
【補正方法】変更
【補正の内容】
【００５６】
図１１では、各サンプル画像ＧＳ１、各サンプル画像ＧＳ２、各サンプル画像ＧＳ３および各サンプル画像ＧＳ４のそれぞれの属性として前述の属性ａ、ｂ、ｃおよびｄを用いる場合が例示される。ここで、属性ａは、第１属性、第２属性および第３属性と異なる第４属性の一例である。各サンプル画像ＧＳ４は、各サンプル画像ＧＳ１、各サンプル画像ＧＳ２および各サンプル画像ＧＳ３と同様、指示体９０による指示等によりユーザーからの操作を受け付け可能である。当該操作がなされると、当該操作により選択されるサンプル画像ＧＳ１、サンプル画像ＧＳ２、サンプル画像ＧＳ３またはサンプル画像ＧＳ４の属性が画像ＧＤの属性として設定される。
【手続補正５】
【補正対象書類名】明細書
【補正対象項目名】００６７
【補正方法】変更
【補正の内容】
【００６７】
その後、制御部８０は、ステップＳ１８０に移行する。また、前述のステップＳ１２０においてメニューの表示を終了させる指示がある場合、前述のステップＳ１３０においてサンプル機能が設定されない状態である場合、または、前述のステップＳ１４０において属性に関する操作がない場合も、制御部８０は、ステップＳ１８０に移行する。制御部８０は、ステップＳ１８０において、描画モードを終了させる指示があるか否かを判断し、当該指示がない場合、前述のステップＳ１２０に戻り、一方、当該指示がある場合、終了する。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
系統計画の策定を支援する系統計画策定支援システムであって、
系統計画で実施可能な対策の内容と費用とを含む対策情報に基づき、あらかじめ設定される計画期間内の各時間断面において、所定の制約を満たす系統計画候補を生成する計画候補生成部と、
現在の電力系統の構成を示す設備基本情報と前記系統計画候補とに基づいて、前記系統計画候補に含まれる対策を実行した場合の電力系統の構成を示す更新設備基本情報を、前記各系統計画候補について前記時間断面毎に生成する演算部と、
前記時間断面毎に生成された更新設備基本情報に対して、所定の指標に基づく評価値を算出する評価部と、
を備える系統計画策定支援システム。
【請求項２】
前記計画候補生成部は、
前記各時間断面において、前記系統計画候補に含まれる対策の費用の合計が所定の費用以下である系統計画候補を生成する、
請求項１に記載の系統計画策定支援システム。
【請求項３】
前記計画候補生成部は、
前記対策の母集団から、前記各時間断面において所定の制約を満たす部分集合である対策集合を抽出し、
前記抽出された対策集合が互いに排他関係となるように、前記対策集合を前記各時間断面に割り当てることにより、前記各時間断面において前記所定の制約を満たす系統計画候補を生成する、
請求項１に記載の系統計画策定支援システム。
【請求項４】
前記演算部は、
前記各時間断面のうち最初の時間断面について前記更新設備基本情報を生成する場合、前記設備基本情報に基づいて、対象とする時間断面の更新設備基本情報を初期化し、
前記系統計画候補に含まれる対策を実行した場合に新設される系統設備の情報を、前記対象とする時間断面の更新設備基本情報に追加し、
前記系統計画候補に含まれる対策を実行した場合に増強される系統設備について、前記対象とする時間断面の更新設備基本情報を更新し、
前記系統計画候補に含まれる対策を実行した場合に除却される系統設備の情報を、前記対象とする時間断面の更新設備基本情報から削除する、
請求項１に記載の系統計画策定支援システム。
【請求項５】
前記演算部は、
前記各時間断面のうち最初の時間断面以外の時間断面について前記更新設備基本情報を生成する場合、対象とする時間断面の一つ前の時間断面の更新設備基本情報に基づいて、前記対象とする時間断面の更新設備基本情報を初期化し、
前記系統計画候補に含まれる対策を実行した場合に新設される系統設備の情報を、前記対象とする時間断面の更新設備基本情報に追加し、
前記系統計画候補に含まれる対策を実行した場合に増強される系統設備について、前記対象とする時間断面の更新設備基本情報を更新し、
前記系統計画候補に含まれる対策を実行した場合に除却される系統設備の情報を、前記対象とする時間断面の更新設備基本情報から削除する、
請求項１に記載の系統計画策定支援システム。
【請求項６】
前記評価部は、
前記対策を所定の基準に基づき複数のグループに分類し、
前記各グループについて、グループに含まれる対策の実行有無の組み合わせパターンをすべて生成し、
前記各組み合わせパターンについて、実行有の対策を実行した場合の電力系統に対して所定の指標に基づく評価値を算出し、
前記各組み合わせパターンについての前記評価値に基づいて、互いに異なるグループに所属する対策を実行した場合の更新設備基本情報に対して、前記評価値の近似値を算出する、
請求項１に記載の系統計画策定支援システム。
【請求項７】
前記評価部は、
前記対策を、前記対策が実施される地点が所属する組織に基づいて、複数のグループに分類する、
請求項６に記載の系統計画策定支援システム。
【請求項８】
前記評価部は、
複数の対策を独立して実行する場合の効果と前記複数の対策を同時に実行する場合の効果との差分を算出し、
前記効果の差分に基づき、前記複数の対策間に相乗効果が発生しているか判定し、
前記相乗効果の有無に基づいて前記対策を分類する、
請求項６に記載の系統計画策定支援システム。
【請求項９】
前記評価部は、前記対策を、前記電力系統において互いに影響しないことを基準にグループ化する、
請求項６に記載の系統計画策定支援システム。
【請求項１０】
計算機により系統計画の策定を支援する系統計画策定支援方法であって、
前記計算機は、
系統計画で実施可能な対策の内容と費用とを含む対策情報に基づき、あらかじめ設定される計画期間内の各時間断面において、所定の制約を満たす系統計画候補を生成する計画候補生成ステップと、
現在の電力系統の構成を示す設備基本情報と前記系統計画候補とに基づいて、前記系統計画候補に含まれる対策を実行した場合の電力系統の構成を示す更新設備基本情報を、前記各系統計画候補について前記時間断面毎に生成する演算ステップと、
前記時間断面毎に生成された更新設備基本情報に対して、所定の指標に基づく評価値を算出する評価ステップと、
を実行する系統計画策定支援方法。
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
車両（１００、１００ａ）に搭載されて用いられる検出器（５０）の姿勢・位置検出装置（１０）であって、
前記検出器から照射された照射光の照射範囲内の対象物までの距離を示す距離画像（ＫＩ）と、環境光の受光強度を示す背景光画像（ＨＩ）であって、解像度が前記距離画像の解像度以上である背景光画像と、を異なるタイミングにて前記検出器から取得する画像取得部（２１）と、
前記距離画像と前記背景光画像とを用いて、前記検出器の姿勢・位置を検出する姿勢・位置検出部（２３）と、
を備える、検出器の姿勢・位置検出装置。
【請求項２】
請求項１に記載の検出器の姿勢・位置検出装置であって、
前記背景光画像の解像度は、前記距離画像の解像度よりも高い、
検出器の姿勢・位置検出装置。
【請求項３】
請求項１または請求項２に記載の検出器の姿勢・位置検出装置であって、
前記対象物には、前記姿勢・位置の検出に用いられるターゲット（ＴＧ）であって、平面上に表された予め定められた検出用パターン（ＫＰ）を有するターゲットが含まれ、
前記姿勢・位置検出部は、
前記背景光画像における前記ターゲット上の特徴点（Ｆｐ）の画素位置を検出し、
前記距離画像における前記特徴点の前記画素位置に対応する画素である対応画素（Ｇｔ）の画素値から対応点３次元位置を取得し、
前記対応点３次元位置を用いて、前記検出器の姿勢・位置を検出する、
を備える、検出器の姿勢・位置検出装置。
【請求項４】
請求項３に記載の検出器の姿勢・位置検出装置であって、
前記姿勢・位置検出部は、
前記距離画像における前記対応画素の周囲の画素である周囲画素（Ｇｓ）の各画素値から周囲点３次元位置を取得し、
前記周囲点３次元位置を補間することによって前記対応点３次元位置を算出する、
検出器の姿勢・位置検出装置。
【請求項５】
請求項３または請求項４に記載の検出器の姿勢・位置検出装置であって、
前記ターゲットは、色と、材質とのうちの少なくとも一方が互いに異なる複数のターゲットを含む、
検出器の姿勢・位置検出装置。
【請求項６】
請求項３から請求項５までのいずれか一項に記載の検出器の姿勢・位置検出装置であって、
前記ターゲットは、前記車両の現在位置の周辺に存在する予め定められた種類の道路構造物であり、
前記姿勢・位置検出部は、前記道路構造物上の予め定められた特徴点を用いて、前記検出器の姿勢・位置を検出する、
検出器の姿勢・位置検出装置。
【請求項７】
請求項１から請求項６までのいずれか一項に記載の検出器の姿勢・位置検出装置であって、
検出された前記検出器の姿勢・位置を用いて、前記検出器を較正する較正部（２５）を、さらに備える、
検出器の姿勢・位置検出装置。
【請求項８】
請求項１から請求項７までのいずれか一項に記載の検出器の姿勢・位置検出装置であって、
前記検出器は、
前記照射光の反射光を含む入射光を受光可能な複数の受光素子を有し、
前記受光素子（５６）は、受光要素（５８）の受光状態に応じた受光値を出力するシングルフォトンアバランシェダイオードである、
検出器の姿勢・位置検出装置。
【請求項９】
請求項１から請求項８までのいずれか一項に記載の検出器の姿勢・位置検出装置であって、
前記検出器は、ライダーである、
検出器の姿勢・位置検出装置。
【請求項１０】
車両（１００、１００ａ）に搭載されて用いられる検出器（５０）の姿勢・位置検出方法であって、
前記検出器から照射された照射光の照射範囲内の対象物までの距離を示す距離画像（ＫＩ）と、環境光の受光強度を示す背景光画像（ＨＩ）であって、解像度が前記距離画像の解像度以上である背景光画像と、を異なるタイミングにて前記検出器から取得し、
前記距離画像と前記背景光画像とを用いて、前記検出器の姿勢・位置を検出する、
検出器の姿勢・位置検出方法。
【請求項１１】
請求項１０に記載の検出器の姿勢・位置検出方法であって、
前記背景光画像の解像度は、前記距離画像の解像度よりも高い、
検出器の姿勢・位置検出方法。
【手続補正２】
【補正対象書類名】明細書
【補正対象項目名】０００６
【補正方法】変更
【補正の内容】
【０００６】
本開示の一実施形態によれば、車両（１００）に搭載されて用いられる検出器（５０）の姿勢・位置検出装置（１０）が提供される。この姿勢・位置検出装置は、前記検出器から照射された照射光の照射範囲内の対象物までの距離を示す距離画像（ＫＩ）と、環境光の受光強度を示す背景光画像（ＨＩ）であって、解像度が前記距離画像の解像度以上である背景光画像と、を異なるタイミングにて前記検出器から取得する画像取得部（２１）と、前記距離画像と前記背景光画像とを用いて、前記検出器の姿勢・位置を検出する姿勢・位置検出部（２３）と、を備える。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
複数の光変調素子を含む第１の光変調部と、複数の光変調素子を含む第２の光変調部と、前記第１の光変調部及び前記第２の光変調部からの光を用いて所定面に光学像を形成する結像光学系と、を備えた照明光学系と、
前記所定面に形成された光学像を基板上に投影する投影光学系と、を含むことを特徴とする露光装置。
【請求項２】
光束を偏光分離する偏光ビームスプリッタをさらに有し、
前記偏光ビームスプリッタによって反射された光束が前記第１の光変調部に導かれ、前記偏光ビームスプリッタを透過した光束が前記第２の光変調部に導かれることを特徴とする請求項１に記載の露光装置。
【請求項３】
前記偏光ビームスプリッタと前記第１の光変調部との間にλ／４位相板が配置されていることを特徴とする請求項２に記載の露光装置。
【請求項４】
前記偏光ビームスプリッタと前記第２の光変調部との間にλ／４位相板が配置されていることを特徴とする請求項２に記載の露光装置。
【請求項５】
前記偏光ビームスプリッタと前記第１の光変調部との間に、前記偏光ビームスプリッタからの光束を前記第１の光変調部に対して斜入射させるための第１の反射ミラーが配置され、
前記偏光ビームスプリッタと前記第２の光変調部との間に、前記偏光ビームスプリッタからの光束を前記第２の光変調部に対して斜入射させるための第２の反射ミラーが配置されていることを特徴とする請求項１乃至４のいずれか１項に記載の露光装置。
【請求項６】
前記第１の光変調部及び前記第２の光変調部は、光束を反射する反射面の角度を変更可能な複数のマイクロミラーを二次元状に配列して構成されるマイクロミラーデバイスであることを特徴とする請求項１乃至５のいずれか１項に記載の露光装置。
【請求項７】
前記第１の光変調部及び前記第２の光変調部は、音響光学ビーム変調器であることを特徴とする請求項１乃至５のいずれか１項に記載の露光装置。
【請求項８】
前記第１の光変調部及び前記第２の光変調部によって形成される光学像は、前記投影光学系の視野内に形成されることを特徴とする請求項１乃至７のいずれか１項に記載の露光装置。
【請求項９】
前記第１の光変調部によって形成される光学像の中心と、前記第２の光変調部によって形成される光学像の中心がずれていることを特徴とする請求項８に記載の露光装置。
【請求項１０】
請求項１乃至９のいずれか１項に記載の露光装置であって、前記基板を移動させながら、前記基板を走査露光することを特徴とする露光装置。
【請求項１１】
前記第１の光変調部によって形成される光学像の中心と、前記第２の光変調部によって形成される光学像の中心が、前記基板の走査方向にずれていることを特徴とする請求項１０に記載の露光装置。
【請求項１２】
前記第１の光変調部によって形成される光学像の中心と、前記第２の光変調部によって形成される光学像の中心が、前記基板の走査方向に対して垂直な方向にずれていることを特徴とする請求項１０または１１に記載の露光装置。
【請求項１３】
１回の走査露光に際して、前記第１の光変調部からの光束と前記第２の光変調部からの光束によって二重に露光される領域が基板上に含まれることを特徴とする請求項１０乃至１２のいずれか１項に記載の露光装置。
【請求項１４】
前記第１の光変調部からの光束の光軸をシフトさせる第１の光軸偏心ユニットを備えることを特徴とする請求項１３に記載の露光装置。
【請求項１５】
前記第２の光変調部からの光束の光軸をシフトさせる第２の光軸偏心ユニットを備えることを特徴とする請求項１３または１４に記載の露光装置。
【請求項１６】
前記第１の光変調部を構成する複数の光変調素子の配列方向と、前記基板の走査方向が異なることを特徴とする請求項１乃至１５のいずれか１項に記載の露光装置。
【請求項１７】
前記第２の光変調部を構成する複数の光変調素子の配列方向と、前記基板の走査方向が異なることを特徴とする請求項１乃至１６のいずれか１項に記載の露光装置。
【請求項１８】
前記照明光学系の光軸と前記基板の走査方向が異なることを特徴とする請求項１乃至１７のいずれか１項に記載の露光装置。
【請求項１９】
請求項１乃至１８のいずれか１項に記載の露光装置を用いて基板を露光する工程と、
前記工程で露光された前記基板を現像する工程と、
を含むことを特徴とする物品の製造方法。
【手続補正２】
【補正対象書類名】明細書
【補正対象項目名】発明の名称
【補正方法】変更
【補正の内容】
【発明の名称】露光装置および物品の製造方法
【手続補正３】
【補正対象書類名】明細書
【補正対象項目名】０００１
【補正方法】変更
【補正の内容】
【０００１】
本発明は、露光装置およびそれを用いた物品の製造方法に関する。
【手続補正４】
【補正対象書類名】明細書
【補正対象項目名】０００９
【補正方法】変更
【補正の内容】
【０００９】
本発明の露光装置は、複数の光変調素子を含む第１の光変調部と、複数の光変調素子を含む第２の光変調部と、前記第１の光変調部及び前記第２の光変調部からの光を用いて所定面に光学像を形成する結像光学系と、を備えた照明光学系と、前記所定面に形成された光学像を基板上に投影する投影光学系と、を含むことを特徴とする。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
冷蔵庫扉の周縁部へ取り付けられる取付部と、冷蔵庫本体貯蔵室の開口部周縁に吸着する磁石を収納した磁石保持部と、前記取付部と磁石保持部とを伸縮自在に連結する薄肉の袋状部を有し、発泡性塩化ビニル樹脂組成物の発泡体からなる冷蔵庫扉ガスケット。
【請求項２】
前記発泡体は独立気泡の気泡構造を有する請求項１に記載の冷蔵庫扉ガスケット。
【請求項３】
前記発泡体は１５〜４５％の発泡率を有する請求項１又は２に記載の冷蔵庫扉ガスケット。
【請求項４】
前記発泡体は６０Ａ〜７５ＡのショアーＡ硬度を有する請求項１〜３のいずれか一項に記載の冷蔵庫扉ガスケット。
【請求項５】
前記発泡性塩化ビニル樹脂組成物は、塩化ビニル系樹脂１００重量部、可塑剤５０〜８５重量部、無機充填剤４０〜８０重量部、発泡剤１．３〜３重量部及びアクリル加工助剤２．４〜５．５重量部を含有する請求項１〜４のいずれか一項に記載の冷蔵庫扉ガスケット。
【請求項６】
請求項１〜５のいずれか一項に記載の冷蔵庫扉ガスケットを有する冷蔵庫扉。
【請求項７】
請求項６に記載の冷蔵庫扉を有する冷蔵庫。
【手続補正２】
【補正対象書類名】明細書
【補正対象項目名】００１０
【補正方法】変更
【補正の内容】
【００１０】
本発明は、冷蔵庫扉の周縁部へ取り付けられる取付部と、冷蔵庫本体貯蔵室の開口部周縁に吸着する磁石を収納した磁石保持部と、前記取付部と磁石保持部とを伸縮自在に連結する薄肉の袋状部を有し、発泡性塩化ビニル樹脂組成物の発泡体からなる冷蔵庫扉ガスケットを提供する。
【手続補正３】
【補正対象書類名】明細書
【補正対象項目名】００１２
【補正方法】変更
【補正の内容】
【００１２】
ある一形態においては、前記発泡体は１５〜４５％の発泡率を有する。
【手続補正４】
【補正対象書類名】明細書
【補正対象項目名】００３８
【補正方法】変更
【補正の内容】
【００３８】
本発明の冷蔵庫扉ガスケットは、断熱性に優れ、強度及び耐久性にも優れており、冷蔵庫扉開閉を５万回以上行う耐久性試験の結果、取り付け部、開放力及び保持力に不具合が発生しない。
【手続補正５】
【補正対象書類名】明細書
【補正対象項目名】００４９
【補正方法】変更
【補正の内容】
【００４９】
発泡率（％）＝（未発泡品比重／発泡品比重−１）×１００％
【手続補正６】
【補正対象書類名】明細書
【補正対象項目名】００５３
【補正方法】変更
【補正の内容】
【００５３】
冷蔵庫の冷蔵室、野菜室及び冷凍室にヒーター装置を設置した。このヒーター装置は、室内の温度を設定した温度に保つように、周囲温度の変動に応じてスイッチのオンオフを行う温度調節機能を備えるものである。その後、冷蔵庫扉を閉めて、冷蔵庫を恒温室に入れた。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
第１電子機器と第２電子機器をディスプレイに取り付けるためのホルダであって、
前記ディスプレイに設けられた雌ねじ群に螺合される雄ねじ群のためのねじ通し孔群を有する基板と、
前記基板の第１部分に形成され、前記第１電子機器に設けられた第１雌ねじに螺合される第１雄ねじのための第１ねじ通し孔を有し、前記第２電子機器を保持するための第１保持部と、
前記基板の第２部分に形成され、前記第１電子機器に設けられた第２雌ねじに螺合される第２雄ねじのための第２ねじ通し孔を有し、前記第２電子機器を保持するための第２保持部と、
を具備するホルダ。
【請求項２】
前記第１保持部は、
前記基板から延びる一対の腕部と、
前記一対の腕部を連結し、前記基板とほぼ平行な連結板と、を具備し、
前記第２電子機器は前記基板、前記一対の腕部及び前記連結板により形成される挿入口を通して前記ホルダに挿入され、
前記第２電子機器は前記挿入口を通して前記ホルダから引き抜かれ、
前記第２保持部は、
前記基板から延びる底板と、
前記底板から延び前記基板とほぼ平行な前板と、を具備し、
前記第１ねじ通し孔は前記連結板に形成され、
前記第２ねじ通し孔は前記前板に形成される請求項１記載のホルダ。
【請求項３】
前記基板、前記一対の腕部、前記連結板、前記底板及び前記前板は一体形成される請求項２記載のホルダ。
【請求項４】
前記ディスプレイには第１サイズのＶＥＳＡ(Video Electronics Standards Association)規格マウントに従った第１雌ねじ群及び／又は第２サイズのＶＥＳＡ規格マウントに従った第２雌ねじ群が形成され、
前記基板には前記第１雌ねじ群のための第１ねじ通し孔群及び／又は前記第２雌ねじ群のための第２ねじ通し孔群が形成される請求項１記載のホルダ。
【請求項５】
前記ねじ通し孔群は前記基板の四隅に形成される４個のねじ通し孔からなる請求項１記載のホルダ。
【請求項６】
第１電子機器と第２電子機器をディスプレイに取り付けるためのホルダであって、
前記ディスプレイに設けられた雌ねじ群に螺合される雄ねじ群のためのねじ通し孔群を有し、前記第１電子機器を収納するための第１ホルダ部と、
前記第１ホルダ部に取り付けられ、前記第２電子機器を収納するための第２ホルダ部と、
を具備するホルダ。
【請求項７】
前記第１ホルダ部、第２ホルダ部は、それぞれ第１係合部、第２係合部を具備し、
前記第１係合部と前記第２係合部は着脱可能に係合する請求項６記載のホルダ。
【請求項８】
前記第１ホルダ部は、
前記ねじ通し孔群を有する基板と、
前記基板の第１部分に形成され、前記第１電子機器を保持するための第１保持部と、
前記基板の第２部分に形成され、前記第１電子機器を保持するための第２保持部と、をさらに具備し、
前記第１保持部は、
前記基板から延びる一対の腕部と、
前記一対の腕部を連結し、前記基板とほぼ平行な連結板と、を具備し、
前記第１電子機器は前記基板、前記一対の腕部及び前記連結板により形成される挿入口を通して前記ホルダに挿入され、
前記第１電子機器は前記挿入口を通して前記ホルダから引き抜かれ、
前記第２保持部は、
前記基板から延びる第１底板と、
前記第１底板から延び前記基板とほぼ平行な前板と、を具備し、
前記前板は前記第１係合部を備える請求項７記載のホルダ。
【請求項９】
前記基板、前記一対の腕部、前記連結板、前記第１底板及び前記前板は一体形成される請求項８記載のホルダ。
【請求項１０】
前記第２ホルダ部は、
保持板と、
前記第２電子機器の両側面を保持する一対の支持腕と、
前記第２電子機器の底面を支える第２底板と、を具備し、
前記保持板は、
前記第２係合部と、
前記第１ホルダ部の前記連結板に係合される係合片と、を具備する請求項８記載のホルダ。
【請求項１１】
前記保持板、前記一対の支持腕及び前記第２底板は一体形成される請求項１０記載のホルダ。
【請求項１２】
前記ねじ通し孔群は前記基板の四隅に形成される４個のねじ通し孔からなる請求項８記載のホルダ。
【請求項１３】
前記ディスプレイには第１サイズのＶＥＳＡ(Video Electronics Standards Association)規格マウントに従った第１雌ねじ群及び／又は第２サイズのＶＥＳＡ規格マウントに従った第２雌ねじ群が形成され、
前記基板には前記第１雌ねじ群のための第１ねじ通し孔群及び／又は前記第２雌ねじ群のための第２ねじ通し孔群が形成される請求項８記載のホルダ。
【請求項１４】
前記第１雌ねじ及び前記第２雌ねじは前記第１電子機器の背面に形成され、
前記第１雄ねじを前記第１雌ねじにねじ込み、かつ前記第２雄ねじを前記第２雌ねじにねじ込み、前記第１ねじ通し孔に前記第１雄ねじを受け入れ、かつ前記第２ねじ通し孔に前記第２雄ねじを受け入れることにより、前記第１電子機器が固定される請求項１記載のホルダ。
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
情報処理装置であって、
接続されている不揮発性記憶装置の種別情報を取得する取得手段と、
所定のユーザ操作を受け付けたことに基づき、前記情報処理装置の動作設定に関する複数の表示アイテムを含む第１の設定画面を表示する表示制御手段と、
を有し、
前記表示制御手段は、前記取得手段により取得された種別情報に基づいて前記不揮発性記憶装置に保存されているデータの削除に関する第２の設定画面を表示するための第１の表示アイテムを前記第１の設定画面に表示するか否かを異ならせることを特徴とする情報処理装置。
【請求項２】
前記種別情報には、接続されている不揮発性記憶装置が、半導体記憶装置であるか、前記半導体記憶装置とは異なる不揮発性記憶装置であるかを示す情報が含まれる請求項１に記載の情報処理装置。
【請求項３】
前記表示制御手段は、前記取得された種別情報が半導体記憶装置を示している場合、前記第１の表示アイテムを前記第１の設定画面上に表示しないよう制御し、前記取得された種別情報が前記半導体記憶装置とは異なる不揮発性記憶装置を示している場合、前記第１の設定画面上に前記第１の表示アイテムを表示するよう制御することを特徴とする請求項２に記載の情報処理装置。
【請求項４】
前記第２の設定画面には、データの上書き消去を行うか否かを設定するための表示アイテムが含まれていることを特徴とする請求項１乃至３の何れか１項に記載の情報処理装置。
【請求項５】
前記第２の設定画面には、データの上書き消去を実施するタイミングを設定するための表示アイテムが含まれることを特徴とする請求項１乃至４の何れか１項に記載の情報処理装置。
【請求項６】
前記第２の設定画面には、データの上書き消去を実行する際の、消去方法を設定するための表示アイテムが含まれることを特徴とする請求項１乃至５の何れか１項に記載の情報処理装置。
【請求項７】
情報処理装置であって、
接続されている不揮発性記憶装置の種別情報を取得する取得手段と、
所定のユーザ操作を受け付けたことに基づき、情報処理装置の動作設定に関する複数の表示アイテムを含む第１の設定画面を表示する表示制御手段と、を有し、
前記第１の設定画面には、全データを初期化するための操作を受け付ける削除画面を表示するための第１の表示アイテムが表示され、
前記表示制御手段は、前記第１の設定画面を介して前記第１の表示アイテムを選択するユーザ操作を受けつけた場合、前記取得手段により取得された種別情報に基づいて前記削除画面に削除モードを選択するための第２の表示アイテムを表示するか否かを異ならせることを特徴とする情報処理装置。
【請求項８】
前記種別情報には、接続されている不揮発性記憶装置が、半導体記憶装置であるか、前記半導体記憶装置とは異なる不揮発性記憶装置であるかを示す情報が含まれる請求項７に記載の情報処理装置。
【請求項９】
前記表示制御手段は、前記取得された種別情報が半導体記憶装置を示している場合、前記削除モードを選択するための前記第２の表示アイテムを前記削除画面上に表示しないよう制御し、前記取得された種別情報が前記半導体記憶装置とは異なる不揮発性記憶装置を示している場合、前記削除モードを選択するための前記第２の表示アイテムを前記削除画面上に表示するよう制御することを特徴とする請求項８に記載の情報処理装置。
【請求項１０】
前記情報処理装置は、画像形成装置であることを特徴とする請求項１乃至９の何れか１項に記載の情報処理装置。
【請求項１１】
情報処理装置の制御方法であって、
接続されている不揮発性記憶装置の種別情報を取得する取得工程と、
所定のユーザ操作を受け付けたことに基づき、前記情報処理装置の動作設定に関する複数の表示アイテムを含む第１の設定画面を表示する表示制御工程と、を有し、
前記表示制御工程は、前記取得工程で取得された種別情報に基づいて前記不揮発性記憶装置に保存されているデータの削除に関する第２の設定画面を表示するための第１の表示アイテムを前記第１の設定画面上に表示するか否かを異ならせる表示制御を行うことを特徴とする制御方法。
【請求項１２】
コンピュータを、請求項１乃至１０の何れか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置、情報処理装置の制御方法及びプログラム
【手続補正３】
【補正対象書類名】明細書
【補正対象項目名】０００１
【補正方法】変更
【補正の内容】
【０００１】
本発明は、情報処理装置、情報処理装置の制御方法及びプログラムに関する。
【手続補正４】
【補正対象書類名】明細書
【補正対象項目名】０００５
【補正方法】変更
【補正の内容】
【０００５】
本発明の情報処理装置は、接続されている不揮発性記憶装置の種別情報を取得する取得手段と、所定のユーザ操作を受け付けたことに基づき、前記情報処理装置の動作設定に関する複数の表示アイテムを含む第１の設定画面を表示する表示制御手段と、を有し、前記表示制御手段は、前記取得手段により取得された種別情報に基づいて前記不揮発性記憶装置に保存されているデータの削除に関する第２の設定画面を表示するための第１の表示アイテムを前記第１の設定画面に表示するか否かを異ならせることを特徴とする。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
Ｗｅｂブラウザ機能を有する画像処理装置であって、
操作画面上の所定の表示領域にＷｅｂページで構成された画像処理装置の操作マニュアルを表示する表示制御手段を有し、
前記表示制御手段は、前記画像処理装置が有するアプリケーションが提供する複数画面のうちの第一の画面であって、前記操作画面上に表示されているＷｅｂページに対応する第一の画面に遷移するための表示アイテムを前記操作画面上に表示することを特徴とする画像処理装置。
【請求項２】
前記画像処理装置は、前記操作マニュアルのＷｅｂページに関する情報と前記画像処理装置が有するアプリケーションが提供する画面とを対応付けて記憶する記憶手段をさらに有し、
前記記憶手段が記憶する情報に基づいて、前記表示制御手段は、前記第一の画面に遷移するための表示アイテムを前記操作画面上に表示することを特徴とする請求項１に記載の画像処理装置。
【請求項３】
前記表示制御手段は、前記表示アイテムが選択されたことに応じて、前記操作画面上に表示しているＷｅｂページに対応する機能を実行するためのアプリケーションを起動し、前記機能を実行するための画面を表示するよう制御することを特徴とする請求項１又は２に記載の画像処理装置。
【請求項４】
前記記憶手段が記憶する情報に基づいて、表示中のＷｅｂページに対応する機能が見つからないと判断した場合に、前記操作画面上に前記表示アイテムを選択可能な状態で表示しないよう制御することを特徴とする請求項２又は３に記載の画像処理装置。
【請求項５】
前記表示中のＷｅｂページに対応する機能が見つからないと判断した場合に、前記操作画面上にグレーアウト状態の表示アイテムを表示するよう制御することを特徴とする請求項４に記載の画像処理装置。
【請求項６】
前記記憶手段は、前記操作マニュアルのＷｅｂページにアクセスするための識別子であるＵＲＬと、アプリケーションを識別するための第１の識別子と、前記アプリケーションが提供する複数の画面の中から表示すべき画面を特定するための第２の識別子とを少なくとも関連付けた対応情報を記憶することを特徴とする請求項２乃至５のいずれか１項に記載の画像処理装置。
【請求項７】
アプリケーションの識別子に基づき、アプリケーションを起動する起動手段を備え、
前記表示制御手段は、前記操作画面上に表示しているＷｅｂページに対応する識別子に対応付けられた前記第１の識別子に基づき前記起動手段にアプリケーションの起動を依頼することを特徴とする請求項６に記載の画像処理装置。
【請求項８】
前記表示制御手段は、前記画像処理装置が有するアプリケーションの画面が前記操作画面上に表示された状態で、前記操作マニュアルに遷移するための表示アイテムがユーザ操作によって選択されたことに応じて、前記操作画面上に表示中のアプリケーションの情報と前記アプリケーションによって操作画面上に表示されている画面の情報と、前記記憶手段に記憶された対応情報と基づいて、当該画面に対応するＷｅｂページにアクセスするためのＵＲＬを決定し、操作画面上の所定の表示領域に前記ＵＲＬにアクセスすることで得られた操作マニュアルのＷｅｂページを表示するよう制御することを特徴とする請求項７に記載の画像処理装置。
【請求項９】
前記アプリケーションは、前記アプリケーションの画面を介してなされた設定変更を示す情報を保持しており、
前記表示アイテムが選択されたことに応じて前記アプリケーションを起動する場合、前記アプリケーションは前記保持している設定変更を示す情報に基づいて設定を復元することを特徴とする請求項７又は８に記載の画像処理装置。
【請求項１０】
前記画像処理装置は、シートに画像を形成する印刷手段を備える画像形成装置であり、前記画像形成装置が備えるアプリケーションは少なくともコピーアプリケーションを含むことを特徴とする請求項１乃至９のいずれか１項に記載の画像処理装置。
【請求項１１】
Ｗｅｂブラウザ機能を有する画像処理装置の制御方法であって、
操作画面上の所定の表示領域にＷｅｂページで構成された画像処理装置の操作マニュアルを表示する表示制御工程を有し、
前記表示制御工程は、前記画像処理装置が有するアプリケーションが提供する複数画面のうちの第一の画面であって、前記操作画面上に表示されているＷｅｂページに対応する第一の画面に遷移するための表示アイテムを前記操作画面上に表示する工程を有することを特徴とする画像処理装置の制御方法。
【請求項１２】
請求項１１に記載の画像処理装置の制御方法をコンピュータに実行させるためのプログラム。
【手続補正２】
【補正対象書類名】明細書
【補正対象項目名】０００７
【補正方法】変更
【補正の内容】
【０００７】
本発明は、Ｗｅｂブラウザ機能を有する画像処理装置であって、操作画面上の所定の表示領域にＷｅｂページで構成された画像処理装置の操作マニュアルを表示する表示制御手段を有し、前記表示制御手段は、前記画像処理装置が有するアプリケーションが提供する複数画面のうちの第一の画面であって、前記操作画面上に表示されているＷｅｂページに対応する第一の画面に遷移するための表示アイテムを前記操作画面上に表示することを特徴とする。
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
アラーム信号を処理する方法であって、前記方法は、
複数のアラーム信号（１０１ａ，１０１ｂ，．．．，１０１ｎ）から決定可能な多数の選択アラーム信号（２０１ａ，２０１ｂ，．．．，２０１ｋ）を予め定義されたアラームパターンと比較するステップと、
前記選択アラーム信号が前記予め定義されたアラームパターンと合致しているならば、少なくとも１つのリアクション信号（１０２ａ，１０２ｂ，．．．，１０２ｍ）を送出するステップと、
前記少なくとも１つのリアクション信号（１０２ａ，１０２ｂ，．．．，１０２ｍ）を、チェック時間だけ時間遅延されたリアクション信号と比較するステップと、
前記少なくとも１つのリアクション信号と前記時間遅延されたリアクション信号とが一致しなければ、アラーム復旧を通報するステップと、
を含む方法。
【請求項２】
前記アラーム信号（１０１ａ，１０１ｂ，．．．，１０１ｎ）を、１つまたは複数のアラームタイプに割り当て、前記多数の選択アラーム信号の決定は、前記アラームタイプに基づく、
請求項１記載の方法。
【請求項３】
前記予め定義されたアラームパターンは、選択アラーム信号の時間順序を含む、
請求項１または２記載の方法。
【請求項４】
前記選択アラーム信号を、１つの時間窓内で前記アラームパターンと比較する、
請求項１から３までのいずれか１項記載の方法。
【請求項５】
前記アラームパターンは、メモリ（２１２）に記憶されている、
請求項１から４までのいずれか１項記載の方法。
【請求項６】
前記メモリ内に多数のアラームパターンが記憶されており、前記記憶されている多数のアラームパターンから１つのアラームパターンを選択する、
請求項５記載の方法。
【請求項７】
前記リアクション信号の送出は、組み合わせアラーム信号（２０２ａ，２０２ｂ，．．．，２０２ｖ）に基づき、前記組み合わせアラーム信号（２０２ａ，２０２ｂ，．．．，２０２ｖ）を、前記予め定義されたアラームパターンに合致する前記選択アラーム信号（２０１ａ，２０１ｂ，．．．，２０１ｋ）のグループから形成する、
請求項１から６までのいずれか１項記載の方法。
【請求項８】
前記予め定義されたアラームパターンは、アラームの順序付きリストを含み、前記選択アラーム信号と前記予め定義されたアラームパターンのアラームの前記順序付きリストとが一致したときに、前記少なくとも１つのリアクション信号が送出される、
請求項１から７までのいずれか１項記載の方法。
【請求項９】
前記少なくとも１つのリアクション信号は、以下のグループすなわち、割り込み、ノンマスカブル割り込み（ＮＭＩ）、ＣＰＵリセット、アプリケーションリセット、非常停止（emergency stop）、または、パワーオンリセット（ＰＯＲ）のうちの１つである、
請求項１から８までのいずれか１項記載の方法。
【請求項１０】
アラーム信号を処理する装置であって、前記装置は、
多数のアラーム信号（１０１ａ，１０１ｂ，．．．，１０１ｎ）から、多数の選択アラーム信号（２０１ａ，２０１ｂ，．．．，２０１ｋ）を決定し、前記選択アラーム信号を予め定義されたアラームパターンと比較するように構成された分析ユニット（２１０）と、
前記選択アラーム信号が前記予め定義されたアラームパターンと合致しているならば、少なくとも１つのリアクション信号（１０２ａ，１０２ｂ，．．．，１０２ｍ）を生成するように構成されたリアクションユニット（２０３）と、
少なくとも１つのリアクション信号を、チェック時間だけ時間遅延されたリアクション信号と比較するように構成されたアラーム復旧ユニット（３０３ｂ）と、
を含み、
前記アラーム復旧ユニットは、前記少なくとも１つのリアクション信号と前記時間遅延されたリアクション信号とが一致しなければ、アラーム復旧を通報する手段を含む、
装置。
【請求項１１】
前記分析ユニット（２１０）は、前記選択アラーム信号を予め定義された１つの時間窓内で比較するようにさらに構成されている、
請求項１０記載の装置。
【請求項１２】
前記分析ユニット（２１０）は、前記多数のアラーム信号から選択アラーム信号（２０１ａ，２０１ｂ，．．．，２０１ｋ）を決定する識別ユニット（２０１）と、前記選択アラーム信号を前記予め定義されたアラームパターンと比較するように構成された比較ユニット（２０２）と、を含む、
請求項１０または１１記載の装置。
【請求項１３】
前記予め定義されたアラームパターンを記憶するメモリ（２１２）を含む、
請求項１０から１２までのいずれか１項記載の装置。
【請求項１４】
前記識別ユニット（２０１）は、前記多数のアラーム信号をフィルタリングし、フィルタリングされた前記アラーム信号を選択アラーム信号（２０１ａ，２０１ｂ，．．．，２０１ｋ）として前記比較ユニット（２０２）へ供給するように構成されている、
請求項１２記載の装置。
【請求項１５】
前記識別ユニット（２０１）は、前記多数のアラーム信号をフィルタリングするために状態マシンを含む、
請求項１２記載の装置。
【請求項１６】
前記少なくとも１つのリアクション信号は、以下のグループすなわち、割り込み、ノンマスカブル割り込み（ＮＭＩ）、ＣＰＵリセット、アプリケーションリセット、または、パワーオンリセット（ＰＯＲ）のうちの１つである、
請求項１０から１５までのいずれか１項記載の装置。
【請求項１７】
前記装置は、少なくとも１つの外部インタフェースを有しており、前記少なくとも１つのリアクション信号は、前記少なくとも１つの外部インタフェースに加わる、
請求項１０から１６までのいずれか１項記載の装置。
【請求項１８】
実行時に方法を実施するように構成された命令を含むマイクロプロセッサであって、前記方法は、
複数のアラーム信号（１０１ａ，１０１ｂ，．．．，１０１ｎ）から決定可能な多数の選択アラーム信号（２０１ａ，２０１ｂ，．．．，２０１ｋ）を予め定義されたアラームパターンと比較するステップと、
前記選択アラーム信号が前記予め定義されたアラームパターンと合致しているならば、少なくとも１つのリアクション信号（１０２ａ，１０２ｂ，．．．，１０２ｍ）を送出するステップと、
前記少なくとも１つのリアクション信号（１０２ａ，１０２ｂ，．．．，１０２ｍ）を、チェック時間だけ時間遅延されたリアクション信号と比較するステップと、
前記少なくとも１つのリアクション信号と前記時間遅延されたリアクション信号とが一致しなければ、アラーム復旧を通報するステップと、
を含むマイクロプロセッサ。
【請求項１９】
前記マイクロプロセッサは、モジュール内に存在する、
請求項１８に記載のマイクロプロセッサ。
【手続補正書】
【提出日】令和2年11月25日(2020.11.25)
【手続補正１】
【補正対象書類名】明細書
【補正対象項目名】００６８
【補正方法】変更
【補正の内容】
【００６８】
記憶部４２０は、例えばハードディスクドライブ、ソリッドステートドライブ等の補助記憶装置であり、制御部４１０で実行されるプログラムを記憶する。
【手続補正２】
【補正対象書類名】明細書
【補正対象項目名】００８２
【補正方法】変更
【補正の内容】
【００８２】
より具体的には、服薬記録処理部１１６は、操作ボタン１４０Ｂが押下された時間帯が朝である場合、朝に対応する処方薬情報（朝に服用すべき薬剤の種類および用量の情報）を読み出す。例えば図９に示す処方箋情報によれば、服薬記録処理部１１６は、朝に対応する処方薬情報として１錠の薬剤Ａ、および２錠の薬剤Ｂを読み出す。また、服薬記録処理部１１６は、操作ボタン１４０Ｂが押下された時間帯が夜である場合、夜に対応する処方薬情報（夜に服用すべき薬剤の種類および用量の情報）を読み出す。例えば図９に示す処方箋情報によれば、服薬記録処理部１１６は、夜に対応する処方薬情報として２錠の薬剤Ｂを読み出す。また、服薬記録処理部１１６は、操作ボタン１４０Ｂが押下された時間帯が朝および夜以外である場合、朝および夜以外（例えば、就寝前）に対応する処方薬情報（就寝前に服用すべき薬剤の種類および用量の情報）を読み出す。例えば図９に示す処方箋情報によれば、服薬記録処理部１１６は、就寝前に対応する処方薬情報として２錠の薬剤Ｃを読み出す。
【手続補正３】
【補正対象書類名】明細書
【補正対象項目名】００９５
【補正方法】変更
【補正の内容】
【００９５】
（ステップＳ１３）
ステップＳ１２に続くステップＳ１３では、制御部１１０は、血圧計測動作部１１５として機能し、操作ボタン１４０Ｂが押下されたか否かを判定する。そして、ステップＳ１３において操作ボタン１４０Ｂが押下された場合、処理はステップＳ１４に進む。一方、ステップＳ１３において操作ボタン１４０Ｂが押下されていない場合、所定時間経過後に処理はステップＳ１２に進む。
【手続補正４】
【補正対象書類名】明細書
【補正対象項目名】０１０４
【補正方法】変更
【補正の内容】
【０１０４】
（ステップＳ２３）
ステップＳ２２に続くステップＳ２３では、制御部１１０は、服薬記録処理部１１６として機能する。ステップＳ２３では、制御部１１０は、ユーザによって操作ボタン１４０Ｂが押下されたか否かを判定する。すなわち、制御部１１０は、ユーザによって服薬確認情報が入力されたか否かを判定する。そして、ステップＳ２３において操作ボタン１４０Ｂが押下された場合、制御部１１０はその操作が服薬確認操作であると判断し、処理はステップＳ２４に進む。一方、ステップＳ２３において操作ボタン１４０Ｂが押下されない場合、処理はステップＳ２６に進む。